(57)【要約】【課題】定型メッセージの音声を一斉同報する際に網103の負担軽減を可能にする。【解決手段】一の端末101のキー入力部203により定型メッセージ機能が選択された場合にＰｏＣサーバ102にアクセスして定型メッセージの一覧を取得し取得した定型メッセージの一覧を端末の表示部202に表示させ、端末のキー入力部により端末の表示部に表示された定型メッセージの一覧から定型メッセージを選択した場合に選択された定型メッセージの識別番号信号をＰｏＣサーバに送信させ、識別番号信号の識別番号に対応する定型メッセージをＰｏＣサーバの定型メッセージ記憶部301から取り出し、取り出した定型メッセージをＰｏＣサーバの音声変換部302に音声データに変換させ、変換したＰｏＣサーバから一の端末以外の他の複数の端末の各々で受信した定型メッセージの音声データを端末の音声合成部204に音声合成させる。【選択図】図１
2008211400.tif 000002
【特許請求の範囲】
【請求項１】
網を介してＰｏＣサーバから複数の端末間に一斉同報の音声会話を行う定型メッセージ機能付きＰｏＣシステムにおいて、
一斉同報の音声会話を行う複数の端末の各々に定型メッセージの一覧を表示する端末の表示部と、
定型メッセージ機能を選択し、前記端末の表示部に表示された定型メッセージの一覧から定型メッセージを選択する端末のキー入力部と、
定型メッセージの音声データを音声合成し音声を出力する端末の音声合成部と、
一の端末のキー入力部により定型メッセージ機能が選択された場合に前記ＰｏＣサーバにアクセスして定型メッセージの一覧を取得し取得した定型メッセージの一覧を前記端末の表示部に表示させ、前記端末のキー入力部により前記端末の表示部に表示された定型メッセージの一覧から定型メッセージを選択した場合に選択された定型メッセージの識別番号信号を前記ＰｏＣサーバに送信させ、前記ＰｏＣサーバから前記一の端末以外の他の複数の端末の各々で受信した定型メッセージの音声データを前記端末の音声合成部に音声合成させる端末の制御部と、
複数の定型メッセージを識別番号と共に記憶するＰｏＣサーバの定型メッセージ記憶部と、
前記定型メッセージ記憶部に記憶された定型メッセージを音声データに変換するＰｏＣサーバの音声変換部と、
前記一の端末で定型メッセージ機能が選択され前記一の端末から前記ＰｏＣサーバにアクセスした場合に前記ＰｏＣサーバの定型メッセージ記憶部から定型メッセージの一覧を前記一の端末に取得させ、前記一の端末から選択された定型メッセージの識別番号信号を受信した場合には受信した識別番号信号の識別番号に対応する定型メッセージを前記ＰｏＣサーバの定型メッセージ記憶部から取り出し、取り出した定型メッセージを前記ＰｏＣサーバの音声変換部に音声データに変換させ、変換した音声データを前記一の端末以外の他の複数の端末の各々に送信させるＰｏＣサーバの制御部とを備えることを特徴とする定型メッセージ機能付きＰｏＣシステム。
【請求項２】
前記ＰｏＣサーバの定型メッセージ記憶部は、一斉同報の音声会話を行う複数の端末をグループ化し、グループの各々に対して、共通の定型メッセージを記憶することを特徴とする、請求項１に記載の定型メッセージ機能付きＰｏＣシステム。
【請求項３】
前記ＰｏＣサーバの定型メッセージ記憶部は、一斉同報の音声会話を行う複数の端末をグループ化し、グループ単位で異なる定型メッセージを記憶することを特徴とする、請求項２に記載の定型メッセージ機能付きＰｏＣシステム。
【請求項４】
前記ＰｏＣサーバの定型メッセージ記憶部は、一斉同報の音声会話を行う複数の端末をグループ化し、グループ単位で性別を区別するように定型メッセージの表現を記憶し、前記ＰｏＣサーバの音声変換部、前記端末の音声合成部により、男性の定型メッセージが選択されると男性の音声が出力され、女性の定型メッセージが選択されると女性の音声が出力されることを特徴とする、請求項２に記載の定型メッセージ機能付きＰｏＣシステム。
【請求項５】
前記ＰｏＣサーバの定型メッセージ記憶部は、一斉同報の音声会話を行う複数の端末をグループ化し、グループ単位でユーザ端末毎に定型メッセージを記憶することを特徴とする、請求項２に記載の定型メッセージ機能付きＰｏＣシステム。
【請求項６】
さらに、前記ＰｏＣサーバは網を介してコンテンツプロバイダに接続され、前記コンテンツプロバイダは定型メッセージを提供し、前記ＰｏＣサーバの制御部は前記コンテンツプロバイダから定型メッセージをダウンロードし、前記定型メッセージ記憶部に追加の定型メッセージを記憶させることを特徴とする、請求項１に記載の定型メッセージ機能付きＰｏＣシステム。
【請求項７】
網を介してＰｏＣサーバから複数の端末間に一斉同報の音声会話を行う定型メッセージ機能付きＰｏＣ通信方法において、
複数の定型メッセージを識別番号と共にＰｏＣサーバに記憶する工程と、
一の端末で定型メッセージ機能が選択された場合に前記ＰｏＣサーバにアクセスして記憶された定型メッセージの一覧を取得し取得した定型メッセージの一覧を前記一の端末に表示する工程と、
前記一の端末に表示された定型メッセージの一覧から定型メッセージを選択した場合に選択された定型メッセージの識別番号信号を前記ＰｏＣサーバに送信する工程と、
前記一の端末から選択された定型メッセージの識別番号信号を前記ＰｏＣサーバで受信した場合には受信した識別番号信号の識別番号に対応する定型メッセージを記憶した定型メッセージから取り出し、取り出した定型メッセージを音声データに変換し、変換した音声データを前記一の端末以外の他の複数の端末の各々に送信する工程と、
前記ＰｏＣサーバから前記一の端末以外の他の複数の端末の各々で受信した定型メッセージの音声データを音声合成して音声出力を行う工程とを備えることを特徴とする定型メッセージ機能付きＰｏＣ通信方法。
【請求項８】
網を介してＰｏＣサーバから複数の端末間に一斉同報の音声会話を行う定型メッセージ機能付きＰｏＣ通信プログラムにおいて、
複数の定型メッセージを識別番号と共にＰｏＣサーバに記憶する手順と、
一の端末で定型メッセージ機能が選択された場合に前記ＰｏＣサーバにアクセスして記憶された定型メッセージの一覧を取得し取得した定型メッセージの一覧を前記一の端末に表示する手順と、
前記一の端末に表示された定型メッセージの一覧から定型メッセージを選択した場合に選択された定型メッセージの識別番号信号を前記ＰｏＣサーバに送信する手順と、
前記一の端末から選択された定型メッセージの識別番号信号を前記ＰｏＣサーバで受信した場合には受信した識別番号信号の識別番号に対応する定型メッセージを記憶した定型メッセージから取り出し、取り出した定型メッセージを音声データに変換し、変換した音声データを前記一の端末以外の他の複数の端末の各々に送信する手順と、
前記ＰｏＣサーバから前記一の端末以外の他の複数の端末の各々で受信した定型メッセージの音声データを音声合成して音声出力を行う手順とを備えることを特徴とする定型メッセージ機能付きＰｏＣ通信プログラム。
【請求項９】
網に接続されるＰｏＣサーバを介して一斉同報の音声会話を行う定型メッセージ機能付き端末において、
一斉同報の音声会話を行う複数の端末の各々に定型メッセージの一覧を表示する表示部と、
定型メッセージ機能を選択し、前記表示部に表示された定型メッセージの一覧から定型メッセージを選択するキー入力部と、
定型メッセージの音声データを音声合成し音声を出力する音声合成部と、
一の端末の前記キー入力部により定型メッセージ機能が選択された場合に前記ＰｏＣサーバにアクセスして定型メッセージの一覧を取得し、前記キー入力部により前記表示部に表示された定型メッセージの一覧から定型メッセージを選択した場合に選択された定型メッセージの識別番号信号を前記ＰｏＣサーバに送信し、前記ＰｏＣサーバから前記一の端末以外の他の複数の端末の各々で定型メッセージの音声データを受信する送受信部と、
前記送受信部により取得した定型メッセージの一覧を前記表示部に表示させ、前記送受信装置により前記ＰｏＣサーバから前記一の端末以外の他の複数の端末の各々で受信した定型メッセージの音声データを前記音声合成部に音声合成させる制御部とを備えることを特徴とする定型メッセージ機能付き端末。
【請求項１０】
網を介して複数の端末間に一斉同報の音声会話を行う定型メッセージ機能付きＰｏＣサーバにおいて、
複数の定型メッセージを識別番号と共に記憶するＰｏＣサーバの定型メッセージ記憶部と、
前記定型メッセージ記憶部に記憶された定型メッセージを音声データに変換するＰｏＣサーバの音声変換部と、
一の端末で定型メッセージ機能が選択され前記一の端末から前記ＰｏＣサーバにアクセスした場合に前記ＰｏＣサーバの定型メッセージ記憶部から定型メッセージの一覧を前記一の端末に取得させ、前記一の端末から選択された定型メッセージの識別番号信号を受信する送受信部と、
前記送受信部により受信した識別番号信号の識別番号に対応する定型メッセージを前記定型メッセージ記憶部から取り出し、取り出した定型メッセージを前記音声変換部に音声データに変換させ、変換した音声データを前記一の端末以外の他の複数の端末の各々に前記送受信部により送信し、音声合成で音声出力させるＰｏＣサーバの制御部とを備えることを特徴とする定型メッセージ機能付きＰｏＣサーバ。
【発明の詳細な説明】
【技術分野】
【０００１】
本発明は複数の端末間で一斉同報の音声会話を行うＰｏＣ（Ｐｕｓｈ  Ｔｏ  Ｔａｌｋ  Ｏｖｅｒ  Ｃｅｌｌｕｌａｒ）システムに関する。特に、本発明は、定型メッセージの音声を一斉同報する際に網の負担軽減を可能にする定型メッセージ機能付きＰｏＣシステム、通信方法、通信プログラム、定型メッセージ機能付き端末、定型メッセージ機能付きＰｏＣサーバに関する。
【背景技術】
【０００２】
従来、周囲に迷惑がかかる状況において、発声の代わりに所望のメッセージを用いて簡易的な通話を行う携帯電話装置およびその通話方式を提供するため、複数の定型メッセージを記憶する定型メッセージ記憶部と、ユーザメッセージを記憶するユーザメッセージ記憶部と、通常モード／メッセージモードを選択する通話モード切換部と、メッセージモード選択状態における発信時および着信時に前記定型メッセージおよびユーザメッセージの中の１つのメッセージを選択するメッセージ選択部と、選択されたメッセージを文字情報として表示する表示部と、メッセージモード選択状態における通話中に当該通話相手からの音声情報を文字情報に変換して表示部に表示するメッセージ／音声変換部を具備し、選択されたメッセージを音声情報に変換して当該通話相手に送出することで、発声を伴わないメッセージ通話を可能にしたものがある。（例えば、特許文献１参照）。
【０００３】
しかしながら、上記特許文献１では、選択されたメッセージを音声情報に変換して当該通話相手に送出するが、一度に多数の相手に音声のメッセージを伝達するものではなく、さらに、網の負担軽減を行うものではないという問題がある。
また、従来、通話中であっても迅速に定型音声を発信することができ、副次的な目的は、一度に多数の相手に音声のメッセージを伝達することができる通信方法及び通信システムを提供するため、ユーザが予め通信端末に保存した定型音声を、ユーザの通話に参加している他の通信端末のユーザに、ユーザ自身の音声の代わりとして聞かせるかあるいは前記定型音声と前記ユーザ自身の音声との両方を聞かせるようにしたことにより、通話中であっても迅速に定型音声を発信することができ、他の通信端末の数が複数の場合には、一度に多数の相手に音声のメッセージを伝達することができるものもある（例えば、特許文献２参照）。
【０００４】
しかしながら、上記特許文献２では、一度に多数の相手に音声のメッセージを伝達するものではあるが、携帯電話網に音声のメッセージが伝達されるので、携帯電話網の負担が増加し、網の負担軽減を意図するものではないという問題がある。
【０００５】
【特許文献１】特開２００１−２５１６７２号公報
【特許文献２】特開２００６−１９７１１６号公報
【発明の開示】
【発明が解決しようとする課題】
【０００６】
したがって、本発明は上記問題点に鑑みて、定型メッセージの音声を一斉同報する際に網の負担軽減を可能にする定型メッセージ機能付きＰｏＣシステム、通信方法、通信プログラム、定型メッセージ機能付き端末、定型メッセージ機能付きＰｏＣサーバを提供することを目的とする。
【課題を解決するための手段】
【０００７】
本発明は前記問題点を解決するために、網を介してＰｏＣサーバから複数の端末間に一斉同報の音声会話を行う定型メッセージ機能付きＰｏＣシステムにおいて、一斉同報の音声会話を行う複数の端末の各々に定型メッセージの一覧を表示する端末の表示部と、定型メッセージ機能を選択し、前記端末の表示部に表示された定型メッセージの一覧から定型メッセージを選択する端末のキー入力部と、定型メッセージの音声データを音声合成し音声を出力する端末の音声合成部と、一の端末のキー入力部により定型メッセージ機能が選択された場合に前記ＰｏＣサーバにアクセスして定型メッセージの一覧を取得し取得した定型メッセージの一覧を前記端末の表示部に表示させ、前記端末のキー入力部により前記端末の表示部に表示された定型メッセージの一覧から定型メッセージを選択した場合に選択された定型メッセージの識別番号信号を前記ＰｏＣサーバに送信させ、前記ＰｏＣサーバから前記一の端末以外の他の複数の端末の各々で受信した定型メッセージの音声データを前記端末の音声合成部に音声合成させる端末の制御部と、複数の定型メッセージを識別番号と共に記憶するＰｏＣサーバの定型メッセージ記憶部と、前記定型メッセージ記憶部に記憶された定型メッセージを音声データに変換するＰｏＣサーバの音声変換部と、前記一の端末で定型メッセージ機能が選択され前記一の端末から前記ＰｏＣサーバにアクセスした場合に前記ＰｏＣサーバの定型メッセージ記憶部から定型メッセージの一覧を前記一の端末に取得させ、前記一の端末から選択された定型メッセージの識別番号信号を受信した場合には受信した識別番号信号の識別番号に対応する定型メッセージを前記ＰｏＣサーバの定型メッセージ記憶部から取り出し、取り出した定型メッセージを前記ＰｏＣサーバの音声変換部に音声データに変換させ、変換した音声データを前記一の端末以外の他の複数の端末の各々に送信させるＰｏＣサーバの制御部とを備えることを特徴とする定型メッセージ機能付きＰｏＣシステムを提供する。
【０００８】
さらに、前記ＰｏＣサーバの定型メッセージ記憶部は、一斉同報の音声会話を行う複数の端末をグループ化し、グループの各々に対して、共通の定型メッセージを記憶する。
さらに、前記ＰｏＣサーバの定型メッセージ記憶部は、一斉同報の音声会話を行う複数の端末をグループ化し、グループ単位で異なる定型メッセージを記憶する。
さらに、前記ＰｏＣサーバの定型メッセージ記憶部は、一斉同報の音声会話を行う複数の端末をグループ化し、グループ単位で性別を区別するように定型メッセージの表現を記憶し、前記ＰｏＣサーバの音声変換部、前記端末の音声合成部により、男性の定型メッセージが選択されると男性の音声が出力され、女性の定型メッセージが選択されると女性の音声が出力される。
【０００９】
さらに、前記ＰｏＣサーバの定型メッセージ記憶部は、一斉同報の音声会話を行う複数の端末をグループ化し、グループ単位でユーザ端末毎に定型メッセージを記憶する。
さらに、前記ＰｏＣサーバは網を介してコンテンツプロバイダに接続され、前記コンテンツプロバイダは定型メッセージを提供し、前記ＰｏＣサーバの制御部は前記コンテンツプロバイダから定型メッセージをダウンロードし、前記定型メッセージ記憶部に追加の定型メッセージを記憶させる。
【００１０】
さらに、本発明は、網を介してＰｏＣサーバから複数の端末間に一斉同報の音声会話を行う定型メッセージ機能付きＰｏＣ通信方法において、複数の定型メッセージを識別番号と共にＰｏＣサーバに記憶する工程と、一の端末で定型メッセージ機能が選択された場合に前記ＰｏＣサーバにアクセスして記憶された定型メッセージの一覧を取得し取得した定型メッセージの一覧を前記一の端末に表示する工程と、前記一の端末に表示された定型メッセージの一覧から定型メッセージを選択した場合に選択された定型メッセージの識別番号信号を前記ＰｏＣサーバに送信する工程と、前記一の端末から選択された定型メッセージの識別番号信号を前記ＰｏＣサーバで受信した場合には受信した識別番号信号の識別番号に対応する定型メッセージを記憶した定型メッセージから取り出し、取り出した定型メッセージを音声データに変換し、変換した音声データを前記一の端末以外の他の複数の端末の各々に送信する工程と、前記ＰｏＣサーバから前記一の端末以外の他の複数の端末の各々で受信した定型メッセージの音声データを音声合成して音声出力を行う工程とを備えることを特徴とする定型メッセージ機能付きＰｏＣ通信方法を提供する。
【００１１】
さらに、本発明は、網を介してＰｏＣサーバから複数の端末間に一斉同報の音声会話を行う定型メッセージ機能付きＰｏＣ通信プログラムにおいて、複数の定型メッセージを識別番号と共にＰｏＣサーバに記憶する手順と、一の端末で定型メッセージ機能が選択された場合に前記ＰｏＣサーバにアクセスして記憶された定型メッセージの一覧を取得し取得した定型メッセージの一覧を前記一の端末に表示する手順と、前記一の端末に表示された定型メッセージの一覧から定型メッセージを選択した場合に選択された定型メッセージの識別番号信号を前記ＰｏＣサーバに送信する手順と、前記一の端末から選択された定型メッセージの識別番号信号を前記ＰｏＣサーバで受信した場合には受信した識別番号信号の識別番号に対応する定型メッセージを記憶した定型メッセージから取り出し、取り出した定型メッセージを音声データに変換し、変換した音声データを前記一の端末以外の他の複数の端末の各々に送信する手順と、前記ＰｏＣサーバから前記一の端末以外の他の複数の端末の各々で受信した定型メッセージの音声データを音声合成して音声出力を行う手順とを備えることを特徴とする定型メッセージ機能付きＰｏＣ通信プログラムを提供する。
【００１２】
さらに、本発明は、網に接続されるＰｏＣサーバを介して一斉同報の音声会話を行う定型メッセージ機能付き端末において、一斉同報の音声会話を行う複数の端末の各々に定型メッセージの一覧を表示する表示部と、定型メッセージ機能を選択し、前記表示部に表示された定型メッセージの一覧から定型メッセージを選択するキー入力部と、定型メッセージの音声データを音声合成し音声を出力する音声合成部と、一の端末の前記キー入力部により定型メッセージ機能が選択された場合に前記ＰｏＣサーバにアクセスして定型メッセージの一覧を取得し、前記キー入力部により前記表示部に表示された定型メッセージの一覧から定型メッセージを選択した場合に選択された定型メッセージの識別番号信号を前記ＰｏＣサーバに送信し、前記ＰｏＣサーバから前記一の端末以外の他の複数の端末の各々で定型メッセージの音声データを受信する送受信部と、前記送受信部により取得した定型メッセージの一覧を前記表示部に表示させ、前記送受信装置により前記ＰｏＣサーバから前記一の端末以外の他の複数の端末の各々で受信した定型メッセージの音声データを前記音声合成部に音声合成させる制御部とを備えることを特徴とする定型メッセージ機能付き端末を提供する。
【００１３】
さらに、本発明は、網を介して複数の端末間に一斉同報の音声会話を行う定型メッセージ機能付きＰｏＣサーバにおいて、複数の定型メッセージを識別番号と共に記憶するＰｏＣサーバの定型メッセージ記憶部と、前記定型メッセージ記憶部に記憶された定型メッセージを音声データに変換するＰｏＣサーバの音声変換部と、一の端末で定型メッセージ機能が選択され前記一の端末から前記ＰｏＣサーバにアクセスした場合に前記ＰｏＣサーバの定型メッセージ記憶部から定型メッセージの一覧を前記一の端末に取得させ、前記一の端末から選択された定型メッセージの識別番号信号を受信する送受信部と、前記送受信部により受信した識別番号信号の識別番号に対応する定型メッセージを前記定型メッセージ記憶部から取り出し、取り出した定型メッセージを前記音声変換部に音声データに変換させ、変換した音声データを前記一の端末以外の他の複数の端末の各々に前記送受信部により送信し、音声合成で音声出力させるＰｏＣサーバの制御部とを備えることを特徴とする定型メッセージ機能付きＰｏＣサーバを提供する。
【発明の効果】
【００１４】
以上説明したように、本発明によれば、複数の定型メッセージを識別番号と共にＰｏＣサーバに記憶し、一の端末で定型メッセージ機能が選択された場合にＰｏＣサーバにアクセスして記憶された定型メッセージの一覧を取得し取得した定型メッセージの一覧を一の端末に表示し、一の端末に表示された定型メッセージの一覧から定型メッセージを選択した場合に選択された定型メッセージの識別番号信号をＰｏＣサーバに送信し、一の端末から選択された定型メッセージの識別番号信号をＰｏＣサーバで受信した場合には受信した識別番号信号の識別番号に対応する定型メッセージを記憶した定型メッセージから取り出し、取り出した定型メッセージを音声データに変換し、変換した音声データを一の端末以外の他の複数の端末の各々に送信し、ＰｏＣサーバから一の端末以外の他の複数の端末の各々で受信した定型メッセージの音声データを音声合成して音声出力を行うようにしたので、ユーザは定型メッセージを選択することにより発声することなくメッセージを他のユーザに伝えられるので、電車内など発声できない状況下でもＰｏＣ会話に参加することが可能になると同時に該当する端末からＰｏＣサーバに対して、音声データの送信が不要となり、表示された定型メッセージの一覧から発言したい内容と一致する所望の定型メッセージを識別する識別番号信号だけを送信すればよいので、電話網の負荷軽減が可能になる。
【００１５】
さらに、本発明によれば、互いに顔を知らないＷＥＢ上の知り合い同士のボイスチャット時に、初めての会話参加時は定型メッセージ機能を使用することにより、電話網の負荷軽減と同時にボイスチャット参加への敷居を下げるという効果もある。
さらに、ＰｏＣサーバの定型メッセージ記憶部に定型メッセージを記憶するようにしたので、電話網側だけで定型メッセージの追加、変更が可能になる。すわなち、ユーザが端末操作を行う煩わしさがなく、ＰｏＣサーバを電話会社が所有しておれば、電話会社の意志で定型メッセージの追加、変更が可能となる。
【発明を実施するための最良の形態】
【００１６】
以下、本発明の実施の形態について図面を参照して説明する。
図１は本発明に係る定型メッセージ機能付きＰｏＣシステムの概略構成を示すブロック図である。本図に示すように、定型メッセージ機能付きＰｏＣシステム１００はユーザの複数の端末１０１−１、２、…、ＮとＰｏＣ（Ｐｕｓｈ  Ｔｏ  Ｔａｌｋ  Ｏｖｅｒ  Ｃｅｌｌｕｌａｒ）サーバ１０２と、ユーザの複数の端末１０１−１、２、…、ＮとＰｏＣサーバ１０２が接続される電話網１０３から構成され、コンピュータのプログラムで実行される。
【００１７】
ユーザの複数の端末１０１−１、２、…、Ｎの各々は、例えば、携帯電話機であり、ＰｏＣサーバ１０２は、電話網１０３を介して、ユーザの複数の端末１０１−１、２、…、Ｎのうちグループ化された特定のユーザの複数の端末に対してトランシーバのような一斉同報の音声会話を実現するサービスを可能にする。
ユーザの複数の端末１０１−１、２、…、Ｎの各々には送受信部２０１、表示部２０２、キー入力部２０３、音声合成部２０４、制御部２０５が設けられている。
【００１８】
送受信部２０１は、複数の端末１０１−１、２、…、Ｎ間の送受信を行い、ＰｏＣ会話を行う場合には、電話網１０３、ＰｏＣサーバ１０２を介して、複数の端末１０１−１、２、…、Ｎのうちグループ化された特定のユーザの複数の端末間の送受信を行い、特に、後述する識別番号信号の送信、定型メッセージの一覧の受信を行う機能を有する。
表示部２０２は、ＬＣＤ（液晶表示部）であり、ユーザの複数の端末１０１−１、２、…、Ｎの各々の表示機能を有し、特に、定型メッセージの一覧を表示する機能を有する。
【００１９】
キー入力部２０３はユーザの複数の端末１０１−１、２、…、Ｎの各々のキー入力機能を有し、特に、発着信時にＰｏＣ会話を行う場合、定型メッセージ機能を選択し、この場合選択信号を生成し、表示部２０２に表示された定型メッセージの一覧から定型メッセージを選択し、この場合識別番号信号を生成する機能を有する。
音声合成部２０４は電話網１０３を介してＰｏＣサーバ１０２から受信した定型メッセージの音声データを音声合成し、音声を出力する。
【００２０】
制御部２０５は、ＣＰＵ（中央演算装置）で構成され、ユーザの複数の端末１０１−１、２、…、Ｎの各々を制御し、特に、キー入力部２０３により、定型メッセージ機能を使用することを選択した場合、選択信号の通知を受け、送受信部２０１により、電話網１０３を介して、ユーザの複数の端末１０１−１、２、…、Ｎの１つからＰｏＣサーバ１０２にアクセスし、ＰｏＣサーバ１０２から使用可能な定型メッセージの一覧を受信し取得し、取得した定型メッセージの一覧を表示部２０２に表示させ、キー入力部２０３により、表示された定型メッセージの一覧から定型メッセージを選択した場合、選択された定型メッセージを識別する識別番号信号の通知を受け、送受信部２０１により、電話網１０３を介して、識別番号信号をＰｏＣサーバ１０２に送信する機能を有する。
【００２１】
さらに、該当する端末が属するグループの他の端末の制御部は、電話網１０３を介してＰｏＣサーバ１０２から音声データを受信した場合には音声合成部２０４に音声合成を行わせ、音声を出力させる。
ＰｏＣサーバ１０２には、定型メッセージ記憶部３０１、音声変換部３０２、送受信部３０３、制御部３０４が設けられている。
【００２２】
定型メッセージ記憶部３０１は、定型メッセージの選択が行われている場合にＰｏＣ会話に使用する複数の定型メッセージを記憶する機能を有する。
音声変換部３０２は、定型メッセージ記憶部３０１から取り出された定型メッセージを音声データに変換する。
送受信部３０３は、ＰｏＣ会話を行う場合には、電話網１０３を介して、複数の端末１０１−１、２、…、Ｎのうちグループ化された端末間の送受信を行い、特に、定型メッセージの選択が行われている場合には、音声変換部３０３から複数の端末１０１−１、２、…、Ｎのうちグループ化された端末に音声データを送信する機能を有する。
【００２３】
制御部３０４は、、ＣＰＵ（中央演算装置）で構成され、ＰｏＣサーバ１０２の制御を行い、特に、定型メッセージ機能の選択に対して、電話網１０３を介して、ユーザの複数の端末１０１−１、２、…、Ｎの１つからアクセスがあると、アクセスした端末に対して定型メッセージ記憶部３０１から定型メッセージの一覧を取り出し送受信部３０３に送信させ、定型メッセージの一覧を送信した端末から識別番号信号を受信した場合には識別番号信号に対応する定型メッセージを定型メッセージ記憶部３０１から取り出し、音声変換部３０２に対して音声データに変換させ、送受信部３０３に対して複数の端末１０１−１、２、…、Ｎのうちグループ化された他の端末に音声データを送信させる。
【００２４】
図２は図１におけるＰｏＣサーバ１０２の定型メッセージ記憶部３０１の概略構成を示す図である。本図に示すように、定型メッセージ記憶部３０１には、ユーザの複数の端末１０１−１、２、…、Ｎに対してＰｏＣ会話を行う特定のユーザの複数の端末をグループ化し各グループに対して、共通の定型メッセージを記憶する。
図３は図２に示す共通の定型メッセージの例を示す図である。本図に示すように、例えば、ＰｏＣサーバ１０２の定型メッセージ記憶部３０１には、
識別番号    定型メッセージ
（１）      電車の中で声を出して会話ができませんので定型メッセージで参加します
（２）      私は同意します
（３）      私は同意できません
（４）      私は保留します
（５）      同意しますか等
が記憶され、識別番号に定型メッセージが対応する。
該当する端末の表示部２０２には、定型メッセージ機能が選択されると、定型メッセージの一覧として、定型メッセージ記憶部３０１に記憶されている上記の識別番号、定型メッセージが表示される。
さらに、キー入力部２０３により、「私は同意します」という定型メッセージを選択すると、識別番号（２）が識別番号信号として、該当する端末からＰｏＣサーバ１０２に送信される。
【００２５】
共通の定型メッセージとすることにより、ＰｏＣサーバ１０２の記憶容量を大幅に増大することなく、実現が可能になる。
図４は図１における定型メッセージ機能付きＰｏＣシステム１００の一連の動作を説明するフローチャートである。本図に示すように、ステップ４０１において、端末１０１−１、２、…、Ｎの１つに発着信があるとする。
【００２６】
ステップ４０２において、発着信があった場合、ＰｏＣ会話が設定されているか否かを判断する。ＰｏＣ会話が設定されていない場合には本処理を終了する。
ステップ４０３において、ＰｏＣ会話が設定されている場合には表示部２０２にメニューを呼び出す。
ステップ４０４において、表示部２０２のメニューに対して、ユーザがキー入力部２０３を操作することにより定型メッセージ機能が選択されたか否かを判断する。定型メッセージが選択されない場合には本処理を終了する。
【００２７】
ステップ４０５において、定型メッセージが選択された場合には電話網１０３を介して該当する端末からＰｏＣサーバ１０２へアクセスする。
ステップ４０６において、該当する端末からＰｏＣサーバ１０２へアクセスがあると、ＰｏＣサーバ１０２から該当する端末へ送受信部３０３により定型メッセージの一覧を送信する。
【００２８】
ステップ４０７において、送受信部２０１により定型メッセージを受信した端末では、定型メッセージの一覧を表示部２０２に表示する。
ステップ４０８において、表示部２０２に表示された定型メッセージの一覧からユーザがキー入力部２０３を操作して定型メッセージの一覧から定型メッセージを選択した場合、選択された定型メッセージに対して識別番号信号を生成する。
【００２９】
ステップ４０９において、電話網１０３を介して、該当する端末からＰｏＣサーバ１０２に生成された識別番号信号が送受信部２０１により送信される。
ステップ４１０において、電話網１０３を介して、該当する端末からＰｏＣサーバ１０２に送受信部３０３により識別番号信号を受信した場合には識別番号に対応する定型メッセージを定型メッセージ記憶部３０１から取り出す。
【００３０】
ステップ４１１において、定型メッセージ記憶部３０１から取り出された定型メッセージが音声変換部３０２により音声データに変換される。
ステップ４１２において、電話網１０３を介して、ＰｏＣサーバ１０２から他の端末に送受信部３０３により音声データが送信される。
ステップ４１３において、電話網１０３を介して、他の端末で音声データを受信し音声合成部２０４により受信した音声データの音声合成を行い、音声を出力し本処理を終了する。
【００３１】
したがって、本発明によれば、ユーザは定型メッセージを選択することにより発声することなくメッセージを他のユーザに伝えられるので、電車内など発声できない状況下でもＰｏＣ会話に参加することが可能になると同時に該当する端末からＰｏＣサーバ１０２に対して、音声データの送信が不要となり、表示された定型メッセージの一覧から発言したい内容と一致する所望の定型メッセージを識別する識別番号信号だけを送信すればよいので、電話網１０３の負荷軽減が可能になる。
【００３２】
さらに、本発明によれば、互いに顔を知らないＷＥＢ上の知り合い同士のボイスチャット時に、初めての会話参加時は定型メッセージ機能を使用することにより、電話網１０３の負荷軽減と同時にボイスチャット参加への敷居を下げるという効果もある。
さらに、ＰｏＣサーバ１０２の定型メッセージ記憶部３０１に定型メッセージを記憶するようにしたので、電話網１０３側だけで定型メッセージの追加、変更が可能になる。すわなち、ユーザが端末操作を行う煩わしさがなく、ＰｏＣサーバ１０２を電話会社が所有しておれば、電話会社の意志で定型メッセージの追加、変更が可能となる。
【実施例１】
【００３３】
図５は図２の変形例であり、ＰｏＣサーバ１０２の定型メッセージ記憶部３０１の概略構成を示す図である。本図に示すように、図２と比較して、定型メッセージ記憶部３０１には、ユーザの複数の端末１０１−１、２、…、Ｎに対してＰｏＣ会話を行う特定のユーザの複数の端末をグループ化し複数のグループ１、２、…に対して、定型メッセージ１、２、…をそれぞれ記憶する。すなわち、グループ単位で異なる定型メッセージを記憶するようにしてもよい。
【００３４】
図６は図３の変形例であり、図５の定型メッセージの例を示す図である。本図に示すように、図３と比較して、一例として、グループ１の定型メッセージ１には、グループを構成するユーザの個人の氏名が追加される。
例えば、該当する端末で、識別番号（１）、（５）を選択すると、
該当する端末に属するグループの他の端末で、「××です  電車の中のため声を出して会話ができませんので定型メッセージで参加します」との音声が出力される。
【００３５】
例えば、識別番号（１）、（６）を選択すると、
該当する端末に属するグループの他の端末で、「××です  私は同意します」との音声が出力される。
これにより、ユーザが相互に親密な場合には、定型メッセージの発言者を知らせることが可能になる。
【実施例２】
【００３６】
図７は図５の変形例であり、ＰｏＣサーバ１０２の定型メッセージ記憶部３０１の概略構成を示す図である。本図に示すように、図５と比較して、定型メッセージ記憶部３０１には、ユーザの複数の端末１０１−１、２、…、Ｎに対してＰｏＣ会話を行う特定のユーザの複数の端末をグループ化し複数のグループ１、２、…に対して、定型メッセージ１Ｍ、１Ｆ、定型メッセージ２Ｍ、２Ｆ…をそれぞれ記憶する。すなわち、グループ単位で性別を区別するように定型メッセージの表現を記憶するようにしてもよい。
【００３７】
定型メッセージ１Ｍ、２Ｍ…は男性用の定型メッセージであり、定型メッセージ１Ｆ、２Ｆ…は女性用の定型メッセージである。
定型メッセージ１Ｍ、２Ｍ…が選択されると、ＰｏＣサーバ１０２の音声変換部３０２、該当する端末に属するグループの他の端末の音声合成部２０４により、男性の音声が出力され、定型メッセージ１Ｆ、２Ｆ…が選択されると、ＰｏＣサーバ１０２の音声変換部３０２、該当する端末に属するグループの他の端末の音声合成部２０４により、女性の音声が出力される。
【００３８】
これにより、該当する端末に属するグループの他の端末のユーザは、定型メッセージを聞いただけで発言者の性別を判断可能となる。
なお、共通の定型メッセージについても男性、女性の音声の出力を可能にするようにしてもよい。同様に（図２の場合も含む）、定型メッセージの発言者の性別を判断可能とするためである。
【実施例３】
【００３９】
図８は図５の変形例であり、ＰｏＣサーバ１０２の定型メッセージ記憶部３０１の概略構成を示す図である。本図に示すように、図５と比較して、グループ２内のユーザ端末１０１−（２−１）、１０１−（２−２）…のそれぞれに対して定型メッセージ２−１、２−２、…をそれぞれ記憶する。すなわち、グループ単位でユーザ端末毎に定型メッセージを記憶するようにしてもよい。
【００４０】
これにより、ユーザ端末はユーザ自身に適した定型メッセージの選択が可能になる。このため、東北弁、関西弁、九州弁を含む方言の表現が可能になる。
【実施例４】
【００４１】
図９は図１の変形例であり、本発明に係る定型メッセージ機能付きＰｏＣシステムの概略構成を示すブロック図である。
本図に示すように、電話網１０３を介して、ＰｏＣサーバ１０２にはＣＰ（コンテンツプロバイダ）３０５が接続され、ＣＰ３０５は定型メッセージをＰｏＣサーバ１０２に提供し、ＰｏＣサーバ１０２はＣＰ３０５から追加の定型メッセージをダウンロードすることが可能になる。ＣＰ３０５からダウンロードした定型メッセージは定型メッセージ記憶部３０１に記憶される。
【００４２】
ＣＰ３０５から提供される定型メッセージには、挨拶、紹介用の定型メッセージ、アポイントメント用の定型メッセージ、商談用の定型メッセージ、会議、打ち合わせ用の定型メッセージ、プレゼンテーション用の定型メッセージ、注文用の定型メッセージ等を含む。
なお、ＣＰ３０５から提供される定型メッセージは有料であり、ＰｏＣサーバ１０２は定型メッセージをＣＰ３０５から購入しダウンロードする。
【００４３】
これにより、定型メッセージ機能使用時に利用可能な定型メッセージの種類を増やすことが容易に可能となる。ＰｏＣサーバ１０２の定型メッセージ記憶部３０１に対して所望の定型メッセージを記憶させるためにユーザの複雑な操作、処理が不要となる。
【実施例５】
【００４４】
以上の説明では、ＰｏＣサーバ１０２の定型メッセージ記憶部３０１には予め音声データ化した定型メッセージを記憶するようにしてもよい。これにより、ＰｏＣサーバ１０２の音声変換部３０２を省略することが可能になる。
【産業上の利用可能性】
【００４５】
以上の説明では、ＰｏＣシステムとしては、全二重通信の電話会議としてもよく、さらに、音声に限らず、静止画、動画を伴う映像会議としてもよい。さらに、端末には携帯電話、固定電話、ＰＣ（パーソナルコンピュータ）によるＩＰ（Ｉｎｔｅｒｎｅｔ  Ｐｒｏｔｏｃｏｌ）電話通信を含む。
【図面の簡単な説明】
【００４６】
【図１】本発明に係る定型メッセージ機能付きＰｏＣシステムの概略構成を示すブロック図である。
【図２】図１におけるＰｏＣサーバ１０２の定型メッセージ記憶部３０１の概略構成を示す図である。
【図３】図２に示す共通の定型メッセージの例を示す図である。
【図４】図１における定型メッセージ機能付きＰｏＣシステム１００の一連の動作を説明するフローチャートである。
【図５】図２の変形例であり、ＰｏＣサーバ１０２の定型メッセージ記憶部３０１の概略構成を示す図である。
【図６】図３の変形例であり、図５の定型メッセージの例を示す図である。
【図７】図５の変形例であり、ＰｏＣサーバ１０２の定型メッセージ記憶部３０１の概略構成を示す図である。
【図８】図５の変形例であり、ＰｏＣサーバ１０２の定型メッセージ記憶部３０１の概略構成を示す図である。
【図９】図１の変形例であり、本発明に係る定型メッセージ機能付きＰｏＣシステムの概略構成を示すブロック図である。
【符号の説明】
【００４７】
１００…定型メッセージ機能付きＰｏＣシステム
１０１−１、２、…、Ｎ…端末
１０２…ＰｏＣサーバ
１０３…電話網
２０１…送受信部
２０２…表示部
２０３…キー入力部
２０４…音声合成部
２０５…制御部
３０１…定型メッセージ記憶部
３０２…音声変換部
３０３…送受信部
３０４…制御部
３０５…ＣＰ
【図１】
2008211400.tif 000003
【図２】
2008211400.tif 000004
【図３】
2008211400.tif 000005
【図４】
2008211400.tif 000006
【図５】
2008211400.tif 000007
【図６】
2008211400.tif 000008
【図７】
2008211400.tif 000009
【図８】
2008211400.tif 000010
【図９】
2008211400.tif 000011